(57)【要約】【課題】複数の周波数の無線信号を送受するＷ−ＣＤＭＡ移動通信システムで使用され、通信中の周波数と異なる無線信号の品質を測定する異周波測定機能を有する移動通信端末に関し、基地局の制御に依存することなく異周波測定を行い、移動通信端末の回路規模・重量・消費電力の増加を抑える。【解決手段】通信中の基地局１−１０から到来する無線信号の品質を測定する品質測定部１−４と、通信中の周波数と異なる基地局１−１１から到来する無線信号の品質を測定する異周波測定部１−８を備え、基地局１−１０から到来する無線信号の品質が所定の閾値以下に劣化したことを検出したときに、基地局１−１１から到来する異周波無線信号の品質測定の実施を決定する実施判定部１−５を備える。更に、移動通信端末は通信中のベアラサービスの内容を検出し、その内容に応じて異周波数の無線信号測定の実施時期を決定する手段を備える。【選択図】      図１
2004343356.tif 000002
【特許請求の範囲】
【請求項１】
複数の周波数の無線信号を送受しうる移動通信システムで使用され、基地局から個別チャネルを介して無線信号を連続的に受信する一つの受信機を備えた移動通信端末において、
個別チャネルの接続設定が行われた基地局から該個別チャネルを介して到来する無線信号の品質を測定する第１測定手段と、該個別チャネルの接続設定が行われた基地局から到来する無線信号の周波数とは異なる周波数の無線信号の品質を測定する第２測定手段とを備え、
前記第１測定手段で測定される品質が所定の閾値以下に劣化したことを検出したことを条件として、前記連続的受信を中断して第２測定手段による品質の測定を実施する異周波測定実施決定手段を備えたことを特徴とする移動通信端末。
【請求項２】
複数の周波数の無線信号を送受しうる移動通信システムで使用され、基地局から個別チャネルを介して無線信号を連続的に受信する一つの受信機を備えた移動通信端末において、
個別チャネルの接続設定が行われた基地局から到来する無線信号のベアラサービスの内容を検出する手段と、該個別チャネルの接続設定が行われた基地局から到来する無線信号の周波数とは異なる周波数の無線信号の品質を測定する手段とを備え、
前記個別チャネルの接続設定が行われた基地局から到来する無線信号のベアラサービスの内容に応じて、該個別チャネルの接続設定が行われた基地局から到来する無線信号の周波数とは異なる周波数の無線信号の品質測定の実施を決定する異周波測定実施決定手段を備えたことを特徴とする移動通信端末。
【請求項３】
前記異周波測定実施決定手段は、個別チャネルの接続設定が行われた基地局から到来する無線信号のベアラサービスの内容に応じて、該個別チャネルの接続設定が行われた基地局から到来する無線信号の周波数とは異なる周波数の無線信号の品質測定を実施する周期又は期間を決定する手段を備えたことを特徴とする請求項２に記載の移動通信端末。
【発明の詳細な説明】
【０００１】
【発明の属する技術分野】
本発明は、複数の周波数の無線信号を送受するＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）移動通信システムで使用される移動通信端末であって、基地局からの無線信号を受信する一つの受信機を搭載し、通信中の周波数とは異なる周波数の無線信号の品質を測定する機能を有する移動通信端末に関する。
【０００２】
【従来の技術】
Ｗ−ＣＤＭＡ移動通信システムにおいては、異なる周波数を使用している基地局間でハンドオーバーを行う必要が生じる場合がある。そのため、Ｗ−ＣＤＭＡ移動通信システムで動作する移動通信端末には、或る一つの周波数の無線信号で通信を行っている最中に、その通信中の周波数とは異なる周波数の無線信号の品質を測定する機能を備える必要がある。
【０００３】
この異周波数無線信号の品質測定機能を備えるためには、移動通信端末に二つの周波数の無線信号を受信する二つの受信機を搭載するか、或いは通信中の基地局との間で通信を一時的に中断する期間（ギャップ）を設け、その期間（ギャップ）に異周波数の無線信号の品質を測定するコンプレストモード処理に対応した機能を実装する必要がある。
【０００４】
図１２にコンプレストモードにおける通信一時中断期間（ギャップ）のパターンを示す。同図において、ＴＧＳＮはギャップパターン最初のフレーム内でのギャップ開始スロット番号、ＴＧＬ１は第１送信ギャップのギャップスロット数、ＴＧＬ２は第２送信ギャップのギャップスロット数、ＴＧＤは第１送信ギャップ開始から第２送信ギャップ開始までのスロット数、ＴＧＰＬ１は送信ギャップパターン１のフレーム数、ＴＧＰＬ２は送信ギャップパターン２のフレーム数、ＴＧＰＲＣは送信ギャップパターンシーケンスにおける送信ギャップパターン数である。移動通信端末は通信中の基地局から通信一時中断期間（ギャップ）に関するこれらの情報を受け取り、その情報に従って通信一時中断期間（ギャップ）に異周波数の無線信号の品質測定を行う。
【０００５】
本発明に関連する先行技術文献として下記の特許文献１が挙げられる。特許文献１には、確立されたチャンネル以外の無線チャンネルを或る周期に渡って交互に受信する受信器を備え、他のチャンネルの無線信号特性を測定するための処理手段を備えた無線電話装置が記載されている。
【特許文献１】
特表２００２−５１６５１６号公報
【０００６】
【発明が解決しようとする課題】
異周波数の無線信号の品質を測定するために、移動通信端末に二つの受信機を搭載する構成とした場合、異周波数の無線信号の品質測定を移動通信端末において任意のタイミングで行うことができるが、同時に二つの無線信号を受信するために受信機を二つ分搭載する必要があり、回路規模・重量・消費電力が増加するという欠点がある。
【０００７】
異周波数の無線信号の品質測定をコンプレストモード処理により行う場合、個別チャネルの接続設定が行われた基地局から移動通信端末へ、一時的に通信を中断する期間（ギャップ）の情報を伝達する機能を基地局及び移動通信端末に備え、また、異周波数に切り替える前後で通信中とは異なる電力制御及び情報フォーマットによる伝送を行う必要があり、これらの機能実現のため回路規模・重量・消費電力・処理の複雑さが増大する。
【０００８】
本発明は、無線信号を受信する一つの受信機を搭載した移動通信端末において、一つの基地局と或る周波数で通信中に、該周波数と異なる周波数の無線信号の品質を、コンプレストモード処理のように基地局の制御に依存することなく測定し、それによって移動通信端末及び基地局における処理の負担を軽減し、また、二つの受信機を搭載することなく異周波数の無線信号の品質測定を行い、移動通信端末の回路規模・重量・消費電力の増加を抑えることを目的とする。
【０００９】
【課題を解決するための手段】
本発明の移動通信端末は、（１）  複数の周波数の無線信号を送受しうる移動通信システムで使用され、基地局から個別チャネルを介して無線信号を連続的に受信する一つの受信機を備えた移動通信端末において、個別チャネルの接続設定が行われた基地局から該個別チャネルを介して到来する無線信号の品質を測定する第１測定手段と、該個別チャネルの接続設定が行われた基地局から到来する無線信号の周波数とは異なる周波数の無線信号の品質を測定する第２測定手段とを備え、前記第１測定手段で測定される品質が所定の閾値以下に劣化したことを検出したことを条件として、前記連続的受信を中断して第２測定手段による品質の測定を実施する異周波測定実施決定手段を備えたものである。
【００１０】
また、（２）個別チャネルの接続設定が行われた基地局から到来する無線信号のベアラサービスの内容を検出する手段と、該個別チャネルの接続設定が行われた基地局から到来する無線信号の周波数とは異なる周波数の無線信号の品質を測定する手段とを備え、前記個別チャネルの接続設定が行われた基地局から到来する無線信号のベアラサービスの内容に応じて、該個別チャネルの接続設定が行われた基地局から到来する無線信号の周波数とは異なる周波数の無線信号の品質測定の実施を決定する異周波測定実施決定手段を備えたものである。
【００１１】
また、（３）前記異周波測定実施決定手段は、個別チャネルの接続設定が行われた基地局から到来する無線信号のベアラサービスの内容に応じて、該個別チャネルの接続設定が行われた基地局から到来する無線信号の周波数とは異なる周波数の無線信号の品質測定を実施する周期又は期間を決定する手段を備えたものである。
【００１２】
【発明の実施の形態】
本発明は、移動通信端末において、基地局との間に個別チャネルの接続設定が行われ、現在通信中の無線チャネルの信号品質又はベアラサービスの内容を基に、異周波数の無線信号の品質測定を行う時期を自ら決定するようにしたものである。
【００１３】
コンプレストモードのように、異周波数の無線信号の品質を測定する期間を基地局との間で取り決める処理を行うことなく異周波数の無線信号の品質を測定するため、該測定を実施した期間、本来送受信しなければならないトラフィックデータの欠落が発生するが、以下に説明するように測定実施期間を限定化することにより、設定された接続を維持し、かつ実際の通信に支障のない通信品質を確保する。
【００１４】
本発明による異周波数の無線信号の品質測定は、通信中の無線チャネルの品質が劣化した場合に行い、又は、通信中のベアラサービスに通信制御情報が含まれているか否かに応じて異周波数の無線信号の品質測定を実施するか否かを制御する。更に、ベアラサービスに音声トラフィックデータが含まれている場合、異周波数測定期間はトラフィックデータの欠落により瞬間的なノイズとなるが、該ノイズが周期的に発生すると耳障りになるので、異周波数測定実施の周期を不定期としたものである。
【００１５】
図１は本発明の第１の実施形態を示す。この実施形態は、通信中の無線チャネルの信号品質が劣化した場合に、異周波数無線信号の品質測定を行う実施形態である。同図において、１−１は移動通信端末、１−２は無線信号の送受信を行う無線部、１−３は受信した無線信号を復調する復調部、１−４は復調した信号の品質を測定する品質測定部、１−５は異周波数無線信号の品質測定を行うか否かを判定する実施判定部、１−６は無線部１−２の周波数と復調部１−３の出力を制御する無線制御部、１−７は送受信の周波数を調整するシンセサイザ、１−８は基地局１−１１からの異周波数無線信号の品質測定を行う異周波数測定部、１−９は異周波数の無線信号の品質測定結果に応じて、異周波ハンドオーバー等の通信制御を行う通信制御部である。
【００１６】
品質測定部１−４は、通信中の基地局１−１０の下りリンク（基地局から移動通信端末への無線信号を伝送するリンク）の個別チャネル又は共通チャネルの通信品質測定を測定する。個別チャネルの通信品質は、例えば、個別チャネルの同期状態の判定結果等を基に測定することができる。個別チャネルの同期状態は、下り無線リンクの個別パイロット信号を用いて判定し、それを基に通信品質を測定することができる。
【００１７】
図２に下りリンクの無線フレームのフォーマットを示す。下りリンクの１無線フレームは１０ｍｓのフレーム長を有し、１無線フレームは１５個のスロットを含んでいる。一つのスロットには第１のトラフィックデータ、送信電力情報（ＴＰＣ：Ｔｒａｎｓｍｉｔｔｅｒ  Ｐｏｗｅｒ  Ｃｏｎｔｒｏｌ  ）、レート情報等を含むトランスポートフォーマット組合せ情報（ＴＦＣＩ：Ｔｒａｎｓｐｏｒｔ  Ｆｏｒｍａｔ  Ｃｏｍｂｉｎａｔｉｏｎ  Ｉｎｄｉｃａｔｏｒ）、第２のトラフィックデータ、及び個別パイロット信号２−１を含んでいる。
【００１８】
図１の実施形態において、通信中の無線チャネルの品質劣化時に異周波数測定を実施する処理フローの例を図３に示す。同図の（ａ）は個別パイロット信号２−１の品質を基に異周波数測定を実施するか否かを判定する処理を示している。移動通信端末１−１は、基地局１−１０との間で個別チャネルの接続が確立されると、復調部１−３において個別パイロット信号２−１の復調を行う（ステップ３−１）。
【００１９】
次に、品質測定部１−４により個別パイロット信号２−１の誤り率の測定を行う（ステップ３−２）。そして測定した個別パイロット信号の誤り率と劣化閾値とを実施判定部１−５で比較する（ステップ３−３）。品質劣化と判定された場合は異周波数測定を行う（ステップ３−４）。品質劣化と判定されない場合は異周波数測定を行わない。
【００２０】
図３の（ｂ）は、共通チャネルの信号品質劣化時に異周波数測定を実施する処理フローの例を示す。共通チャネルの信号品質の判定には、例えば、共通パイロットチャネル（ＣＰＩＣＨ：Ｃｏｍｍｏｎ  Ｐｉｌｏｔ  Ｃｈａｎｎｅｌ）の１チップ当たりの信号電力Ｅｃと雑音電力Ｎ０  との比ＣＰＩＣＨ−Ｅｃ／Ｎ０  を使用することができる。
【００２１】
移動通信端末１−１は、基地局１−１０との間で個別チャネルにより接続が確立されると、復調部１−３において共通パイロットチャネル（ＣＰＩＣＨ）の復調を行う（ステップ３−１’）。次に、品質測定部１−４において信号対雑音電力比ＣＰＩＣＨ−Ｅｃ／Ｎ０  を測定する（ステップ３−２’）。
【００２２】
そして信号対雑音電力比（ＣＰＩＣＨ−Ｅｃ／Ｎ０  ）と劣化閾値とを実施判定部１−５で比較する（ステップ３−３’）。品質劣化と判定された場合は異周波数測定を行う（ステップ３−４’）。品質劣化と判定されない場合は異周波数測定を行わない。
【００２３】
なお、個別チャネルの信号品質の測定に、図３の（ａ）の個別パイロット信号の誤り率の代わりに、個別チャネルの信号対干渉電力比（ＤＰＣＨ−ＳＩＲ）、個別チャネルの１チップ当たりの信号電力Ｅｃと雑音電力Ｎ０  との比（ＤＰＣＨ−Ｅｃ／Ｎ０  ）又は個別チャネルの受信信号コードパワー（ＤＰＣＨ−ＲＳＣＰ）を用いることができる。
【００２４】
更に、共通チャネルの信号品質の測定に、図３の（ｂ）の共通パイロットチャンネルの信号対雑音電力比（ＣＰＩＣＨ−Ｅｃ／Ｎ０  ）の代わりに、共通パイロットチャネルの受信信号コードパワー（ＣＰＩＣＨ−ＲＳＣＰ）又は共通パイロットチャネルの減衰量（ＣＰＩＣＨ−Ｐａｔｈｌｏｓｓ）を使用することができる。
【００２５】
また、異周波数の無線信号品質測定に、共通パイロットチャネルの受信信号コードパワー（ＣＰＩＣＨ−ＲＳＣＰ）又はプライマリ共通制御物理チャネルの受信信号コードパワー  （ＰＣＣＰＣＨ−ＲＳＣＰ）を使用することができる。プライマリ共通制御物理チャネル  （ＰＣＣＰＣＨ）は、下りリンクの共通チャネルで各セルに一つ存在し、報知情報を送信するのに使用される。
【００２６】
次に、通信中のベアラサービスの内容に応じて異周波数無線信号の品質測定を行うか否かを決定する第２の実施形態について説明する。ベアラサービスの内容の検出はレイヤ３情報を使用して行うことができる。図４に本発明の第２の実施形態の構成を、図５にその処理フロー示す。図４に示すように、復調部１−３で復調された受信信号は、コーデック部４−１において復号化され、該復号化された受信データは通信制御部１−９に入力される。
【００２７】
移動通信端末１−１は、基地局１−１０との間にレイヤ３情報を使用してベアラサービスを確立／解放するが、移動通信端末１−１では、ベアラサービスの確立／解放の度に、通信制御部１−９から実施判定部１−５にレイヤ３情報を通知する。
【００２８】
実施判定部１−５はベアラサービス情報を受信し（ステップ５−１）、ベアラサービスの内容が個別制御チャネル（ＤＣＣＨ）のみかどうかを判定する（ステップ５−２）。ベアラサービスの内容が個別制御チャネル（ＤＣＣＨ）のみである場合、移動通信端末１−１と基地局１−１０との間の接続を新たに設定中である等、接続状態が遷移中であり、このときの個別制御チャネル（ＤＣＣＨ）は接続設定に重要であるため、この間は異周波数測定を行わない。
【００２９】
ベアラサービスの内容が個別制御チャネル（ＤＣＣＨ）のみでない場合、即ち、トラフィックデータのみ又はトラフィックデータ及び個別制御チャネル（ＤＣＣＨ）が送受されている場合、移動通信端末１−１と基地局１−１０との間に個別チャネルが設定されている状態であり、このとき、ベアラサービスの通信品質に大きな影響を与えることなく、一時的にベアラサービスの通信を中断し、異周波数測定を行う（ステップ５−３）。
【００３０】
図６は、ベアラサービスの内容をレイヤ３情報及びトランスポートフォーマット組合せ情報（ＴＦＣＩ）を使用して検出する実施例のフローチャートである。移動通信端末１−１は、基地局１−１０との間にベアラサービスを確立／解放する度に、通信制御部１−９から実施判定部１−５にレイヤ３情報を通知する。
【００３１】
また、最小トランスミッションタイムインターバル（ＴＴＩ）毎に、コーデック部４−１は実施判定部１−５にトランスポートフォーマット組合せ情報（ＴＦＣＩ）を通知する。実施判定部１−５はベアラサービス情報を受信し（ステップ６−１）、ベアラサービスの内容が個別制御チャネル（ＤＣＣＨ）のみかどうかの判定を行う（ステップ６−２）。
【００３２】
なお、トランスミッションタイムインターバル（ＴＴＩ）は、一つのトランスポートチャネルに対するトランスポートブロックの集合（セット）が、ＭＡＣレイヤとレイヤ１との間で転送される時間間隔であり、チャネル符号化のインターリーブ長と等しく、１０ｍｓｅｃ，２０ｍｓｅｃ，４０ｍｓｅｃ及び８０ｍｓｅｃの値をとる。
【００３３】
ベアラサービスの内容が個別制御チャネル（ＤＣＣＨ）のみであると判定された場合は、トランスポートフォーマット組合せ情報（ＴＦＣＩ）による判定（図６の（ｂ）のフロー）を無効化する（ステップ６−３）。ベアラサービスの内容が個別制御チャネル（ＤＣＣＨ）のみでないと判定された場合は、トランスポートフォーマット組合せ情報（ＴＦＣＩ）による判定を有効化する（ステップ６−４）。
【００３４】
トランスポートフォーマット組合せ情報（ＴＦＣＩ）による判定が有効化されると、実施判定部１−５はコーデック部４−１から通知されたトランスポートフォーマット組合せ情報（ＴＦＣＩ）を受信し（ステップ６−５）、トランスポートフォーマット組合せ情報（ＴＦＣＩ）に個別制御チャネル（ＤＣＣＨ）を示す情報が有るかどうかの判定を行う（ステップ６−６）。
【００３５】
トランスポートフォーマット組合せ情報（ＴＦＣＩ）によって受信信号の中に個別制御チャネル（ＤＣＣＨ）が無いと判定された場合は、ベアラサービスの内容がトラフィックデータでのみであるということになり、この場合に異周波数測定を行う（ステップ６−７）。
【００３６】
トランスポートフォーマット組合せ情報（ＴＦＣＩ）によって受信信号の中に個別制御チャネル（ＤＣＣＨ）が有ると判定された場合は、個別制御チャネル（ＤＣＣＨ）を取り込むべく異周波数測定を行わない。また、ステップ６−３によりトランスポートフォーマット組合せ情報（ＴＦＣＩ）による判定が無効化された場合は、実施判定部１−５でトランスポートフォーマット組合せ情報（ＴＦＣＩ）が受信されず、異周波数測定は実施されない。図６に示した実施例では、ベアラサービスの内容がトラフィックデータでのみで、個別制御チャネル（ＤＣＣＨ）を含んでいないときにのみ異周波数測定を実施する。
【００３７】
次に、通信中のベアラサービスの内容に応じて異周波数無線信号の品質測定の期間、周期又はその両者を決定する第３の実施形態について説明する。図７はこの実施形態の構成を示す。図８は異周波数無線信号の品質測定の期間を決定する処理フローを示す。ベアラサービスの内容の検出は、レイヤ３情報及びトランスポートフォーマット組合せ情報（ＴＦＣＩ）を用いて行う。
【００３８】
図７において、移動通信端末１−１は基地局１−１０との間にベアラサービスを確立／解放する度に、通信制御部１−９から期間周期判定部７−１にレイヤ３情報を通知する。また、最小トランスミッションタイムインターバル（ＴＴＩ）毎に、コーデック部４−１は期間周期判定部７−１にトランスポートフォーマット組合せ指標（ＴＦＣＩ）を通知する。期間周期判定部７−１はベアラサービス情報を受信し（ステップ８−１）、ベアラサービスの内容が個別制御チャネル（ＤＣＣＨ）のみかどうかの判定を行う（ステップ８−２）。
【００３９】
ベアラサービスの内容が個別制御チャネル（ＤＣＣＨ）のみと判定された場合は、トランスポートフォーマット組合せ情報（ＴＦＣＩ）による判定（図８の（ｂ）のフロー）を無効化する（ステップ８−３）。ベアラサービスの内容が個別制御チャネル（ＤＣＣＨ）のみでないと判定された場合は、トランスポートフォーマット組合せ情報（ＴＦＣＩ）による判定を有効化する（ステップ８−４）。
【００４０】
トランスポートフォーマット組合せ情報（ＴＦＣＩ）による判定が有効化されると、最小トランスミッションタイムインターバル（ＴＴＩ）が２０ｍｓ以上であるかどうかの判定を行う（ステップ８−５）。最小トランスミッションタイムインターバル（ＴＴＩ）が２０ｍｓ以上であると判定された場合は、期間周期判定部７−１はコーデック部４−１から通知されたトランスポートフォーマット組合せ情報（ＴＦＣＩ）を受信し（ステップ８−６）、トランスポートフォーマット組合せ情報（ＴＦＣＩ）に個別制御チャネル（ＤＣＣＨ）を示す情報があるかどうかの判定を行う（ステップ８−７）。
【００４１】
トランスポートフォーマット組合せ情報（ＴＦＣＩ）によって受信信号の中に個別制御チャネル（ＤＣＣＨ）が無いと判定された場合は、該判定後の残りの無線フレームを異周波数測定が可能な期間とする（ステップ８−８）。最小トランスミッションタイムインターバル（ＴＴＩ）が２０ｍｓ未満であると判定された場合又はトランスポートフォーマット組合せ情報（ＴＦＣＩ）によって受信信号の中に個別制御チャネル（ＤＣＣＨ）が有ると判定された場合は、異周波数測定期間無しと決定する（ステップ８−９）。
【００４２】
図９を参照して具体的に説明すると、図のＩに示す無線フレーム＃１〜＃６は、図のＩＩに示す復調後のトランスポートフォーマット組合せ情報（ＴＦＣＩ）で展開され、図のＩＩＩ  に示す個別制御チャネル（ＤＣＣＨ）及び図のＩＶに示す可変レート音声サービスデータ（トラフィックデータ）とに編成される。なお、同図のＩＩの復調後のＴＦＣＩの「Ａ」、「Ｂ」、「Ｃ」は可変レート音声データ（トラフィックデータ）に関する情報であることを示し、  「ａ」は個別制御チャネル（ＤＣＣＨ）に関する情報であることを示している。
【００４３】
図９の例において、無線フレーム＃１、＃３、＃５で（最小ＴＴＩ毎）、トランスポートフォーマット組合せ情報（ＴＦＣＩ）に個別制御チャネル（ＤＣＣＨ）を示す情報が有るかどうかの判定を行った結果、無線フレーム＃１及び＃３で個別制御チャネル（ＤＣＣＨ）を示す「ａ」が有るので、無線フレーム＃１〜＃４の期間は異周波数測定期間無しと決定され、無線フレーム＃５では個別制御チャネル（ＤＣＣＨ）を示す情報が無いので、最小トランスミッションタイムインターバル（ＴＴＩ）の残りの無線フレーム＃６を異周波数の無線信号の品質測定期間と決定する。
【００４４】
次に、ベアラサービスの内容に応じて異周波数測定の周期を決定する実施例について説明する。図１０は該実施例の処理フローを示す。ベアラサービスの内容の検出はレイヤ３情報を使用して行う。図７に示す構成の移動通信端末１−１は、基地局１−１０との間にベアラサービスを確立／解放する度に、通信制御部１−９から期間周期判定部７−１にレイヤ３情報を通知する。
【００４５】
期間周期判定部７−１はベアラサービス情報を受信し（ステップ１０−１）、ベアラサービスの内容が個別制御チャネル（ＤＣＣＨ）のみかどうかを判定する（ステップ１０−２）。ベアラサービスの内容が個別制御チャネル（ＤＣＣＨ）のみでないと判定された場合は、音声サービスデータが有るか判定する（ステップ１０−３）。
【００４６】
音声サービスデータが有ると判定された場合は、異周波数の無線信号の品質測定の周期を不定期に設定するよう決定する（ステップ１０−４）。これは、音声サービスの場合、異周波数の無線信号の品質測定によって音声サービスデータに欠落が生じて瞬間的にノイズが発生し、それが周期的に発生すると耳障りになるので、異周波数の無線信号の品質測定の間隔を、ノイズが耳障りとならない程度の不定期間隔とするためである。
【００４７】
上記ステップ１０−３において音声サービスデータが無いと判定された場合は、異周波数の無線信号の品質の測定を一定周期で行うように決定する（ステップ１０−５）。また、上記ステップ１０−２において、ベアラサービスの内容が個別制御チャネル（ＤＣＣＨ）のみであると判定された場合は、異周波数測定期間無しと決定する（ステップ１０−６）。
【００４８】
また、ベアラサービスの内容に応じて異周波数測定の期間を決定するもう一つの実施例について説明する。図１１は該実施例の処理フローを示す。ベアラサービスの内容が個別制御チャネル（ＤＣＣＨ）のみでないと判定された場合は、トランスポートフォーマット組合せ情報（ＴＦＣＩ）による判定（図１１の（ｂ）のフロー）を有効化する（ステップ１１−４）。
【００４９】
トランスポートフォーマット組合せ情報（ＴＦＣＩ）による判定が有効化されると、最小トランスミッションタイムインターバル（ＴＴＩ）が１０ｍｓであるかどうかの判定を行う（ステップ１１−５）。最小トランスミッションタイムインターバル（ＴＴＩ）が１０ｍｓｅｃであると判定された場合には、期間周期判定部７−１はコーデック部４−１から通知されたトランスポートフォーマット組合せ情報（ＴＦＣＩ）を受信し（ステップ１１−６）、トランスポートフォーマット組合せ情報（ＴＦＣＩ）に音声サービスデータを示す情報が有るかどうかの判定を行う（ステップ１１−７）  。
【００５０】
トランスポートフォーマット組合せ情報（ＴＦＣＩ）によって受信信号の中に音声サービスデータが有ると判定された場合は、最小トランスミッションタイムインターバル（ＴＴＩ）の期間全てを異周波数測定が可能な期間とする（ステップ１１−８）。最小トランスミッションタイムインターバル（ＴＴＩ）が１０ｍｓｅｃでないと判定された場合又はトランスポートフォーマット組合せ情報（ＴＦＣＩ）によって受信信号の中に音声サービスデータが無いと判定された場合には、最小トランスミッションタイムインターバル（ＴＴＩ）の期間全てを異周波数測定が可能な期間とする（ステップ１１−９）。
【００５１】
これは、１トランスミッションタイムインターバル（ＴＴＩ）の期間の全ての音声サービスデータが揃わないと、音声データを復元することができないため、異周波数無線信号の品質測定を行ったトランスミッションタイムインターバル（ＴＴＩ）では、その期間の音声サービスデータが無効となるので、そのトランスミッションタイムインターバル（ＴＴＩ）の全期間を異周波数無線信号の品質測定期間としたものである。
【００５２】
（付記１）  複数の周波数の無線信号を送受しうる移動通信システムで使用され、基地局から個別チャネルを介して無線信号を連続的に受信する一つの受信機を備えた移動通信端末において、個別チャネルの接続設定が行われた基地局から該個別チャネルを介して到来する無線信号の品質を測定する第１測定手段と、該個別チャネルの接続設定が行われた基地局から到来する無線信号の周波数とは異なる周波数の無線信号の品質を測定する第２測定手段とを備え、前記第１測定手段で測定される品質が所定の閾値以下に劣化したことを検出したことを条件として、前記連続的受信を中断して第２測定手段による品質の測定を実施する異周波測定実施決定手段を備えたことを特徴とする移動通信端末。
（付記２）  複数の周波数の無線信号を送受しうる移動通信システムで使用され、基地局から個別チャネルを介して無線信号を連続的に受信する一つの受信機を備えた移動通信端末において、個別チャネルの接続設定が行われた基地局から到来する無線信号のベアラサービスの内容を検出する手段と、該個別チャネルの接続設定が行われた基地局から到来する無線信号の周波数とは異なる周波数の無線信号の品質を測定する手段とを備え、前記個別チャネルの接続設定が行われた基地局から到来する無線信号のベアラサービスの内容に応じて、該個別チャネルの接続設定が行われた基地局から到来する無線信号の周波数とは異なる周波数の無線信号の品質測定の実施を決定する異周波測定実施決定手段を備えたことを特徴とする移動通信端末。
（付記３）  前記異周波測定実施決定手段は、個別チャネルの接続設定が行われた基地局から到来する無線信号のベアラサービスの内容に応じて、該個別チャネルの接続設定が行われた基地局から到来する無線信号の周波数とは異なる周波数の無線信号の品質測定を実施する周期又は期間を決定する手段を備えたことを特徴とする付記２に記載の移動通信端末。
（付記４）  複数の周波数の無線信号を送受しうる移動通信システムで使用され、基地局から個別チャネルを介して無線信号を連続的に受信する一つの受信機を備えた移動通信端末において、個別チャネルの接続設定が行われた基地局から到来する無線信号のベアラサービスの内容を検出する手段と、該個別チャネルの接続設定が行われた基地局から到来する無線信号の周波数とは異なる周波数の無線信号の品トランスポートフォーマット組合せ情報（ＴＦＣＩ）質を測定する手段とを備え、前記個別チャネルの接続設定が行われた基地局から到来する無線信号のベアラサービスの内容に応じて、該個別チャネルの接続設定が行われた基地局から到来する無線信号の周波数とは異なる周波数の無線信号の品質測定を実施する周期又は期間を決定する異周波測定期間周期決定手段を備えたことを特徴とする移動通信端末。
（付記５）  前記個別チャネルの接続設定が行われた基地局から到来する無線信号の品質を測定する手段は、個別パイロット信号の誤り率、個別チャネルの信号対干渉電力比、個別チャネルの１チップ当たりの信号電力Ｅｃと雑音電力Ｎ０  との比若しくは個別チャネルの受信信号コードパワー、又は共通パイロットチャンネルの信号対雑音電力比、共通パイロットチャネルの受信信号コードパワー若しくは共通パイロットチャネルの減衰量を基に該無線信号の品質を測定することを特徴とする付記１に記載の移動通信端末。
（付記６）  前記異周波測定実施決定手段は、ベアラサービスの内容が個別制御チャネル情報のみであると判定された場合は異周波数測定を実施せず、ベアラサービスの内容が個別制御チャネル情報のみでないと判定された場合に異周波数測定を実施する決定を行うことを特徴とする付記２又は３に記載の移動通信端末。
（付記７）  前記異周波測定実施決定手段は、ベアラサービスの内容が個別制御チャネル情報を含んでいると判定された場合は異周波数測定を実施せず、ベアラサービスの内容が個別制御チャネル情報を含んでいないと判定された場合に異周波数測定を実施する決定を行うことを特徴とする付記２又は３に記載の移動通信端末。
（付記８）  前記ベアラサービスの内容を判定・検出する手段は、レイヤ３情報又はトランスポートフォーマット組合せ情報により判定・検出することを特徴とする付記６又は７に記載の移動通信端末。
（付記９）  前記異周波測定実施決定手段は、更に、最小トランスミッションタイムインターバル（ＴＴＩ）が２０ｍｓｅｃ未満の場合は異周波数測定を実施せず、最小トランスミッションタイムインターバル（ＴＴＩ）が２０ｍｓｅｃ以上である場合に異周波数測定を実施する決定を行うことを特徴とする付記６乃至８の何れかに記載の移動通信端末。
（付記１０）  前記異周波測定実施決定手段は、最小トランスミッションタイムインターバル（ＴＴＩ）が１０ｍｓｅｃで音声サービスデータを含んでいる場合、音声サービスのトランスミッションタイムインターバル（ＴＴＩ）の期間全てを異周波数無線信号の品質測定期間とし、そうでない場合は最小トランスミッションタイムインターバル（ＴＴＩ）の期間全てを異周波数無線信号の品質測定期間と決定することを特徴とする付記６乃至８の何れかに記載の移動通信端末。
（付記１１）  前記異周波測定実施決定手段は、ベアラサービスの内容が音声サービスデータを含んでいると判定された場合は異周波数無線信号の品質測定周期を不定期とし、ベアラサービスの内容が音声サービスデータを含んでいないと判定された場合は異周波数無線信号の品質測定周期を一定周期と決定することを特徴とする付記６乃至８の何れかに記載の移動通信端末。
（付記１２）  前記異周波測定期間周期決定手段は、最小トランスミッションタイムインターバル（ＴＴＩ）が２０ｍｓｅｃ未満の場合は異周波数無線信号の品質測定期間無しとし、最小トランスミッションタイムインターバル（ＴＴＩ）が２０ｍｓｅｃ以上である場合に残りの無線フレームを異周波数無線信号の品質測定期間と決定することを特徴とする付記４に記載の移動通信端末。
（付記１３）  前記異周波測定期間周期決定手段は、最小トランスミッションタイムインターバル（ＴＴＩ）が１０ｍｓｅｃで音声サービスデータを含んでいる場合、音声サービスの最小トランスミッションタイムインターバル（ＴＴＩ）の期間全てを異周波数無線信号の品質測定期間とし、そうでない場合は最小トランスミッションタイムインターバル（ＴＴＩ）の期間全てを異周波数無線信号の品質測定期間と決定することを特徴とする付記４に記載の移動通信端末。
（付記１４）  前記異周波測定期間周期決定手段は、ベアラサービスの内容が音声サービスデータを含んでいると判定された場合は異周波数無線信号の品質測定周期を不定期とし、ベアラサービスの内容が音声サービスデータを含んでいないと判定された場合は異周波数無線信号の品質測定周期を一定周期と決定することを特徴とする付記４に記載の移動通信端末。
（付記１５）  前記個別チャネルの接続設定が行われた基地局から到来する無線信号の周波数とは異なる周波数の無線信号の品質を測定する手段は、共通パイロットチャネルの受信信号コードパワー又はプライマリ共通制御物理チャネルの受信信号コードパワーを基に該無線信号の品質を測定することを特徴とする付記１乃至１４の何れかに記載の移動通信端末。
【００５３】
【発明の効果】
以上説明したように、本発明によれば、無線信号を受信する一つの受信機を搭載した移動通信端末において、現在通信している無線チャネルの信号品質又はベアラサービスの内容に応じて、異周波数の無線信号の品質測定を実施する時期を決定し、コンプレストモード等のように基地局の制御に依存することなく、移動通信端末内の処理のみで異周波数の無線信号の品質測定を実施することにより、移動通信端末に基地局との間で異周波数の無線信号の品質測定のための信号をやり取りする機能が不要となり、移動通信端末及び基地局の処理負担が軽減され、また、一つの受信機で異周波数の無線信号の品質測定を行うため、移動通信端末の回路規模・重量・消費電力及び処理負担の増加を抑制することができる。
【図面の簡単な説明】
【図１】本発明による通信中の信号品質に応じて異周波数測定を実施する移動通信端末の構成を示す図である。
【図２】Ｗ−ＣＤＭＡシステムの下りリンクのＤＰＣＨフレーム構造を示す図である。
【図３】本発明による通信中の信号品質が劣化した場合に異周波数測定を行う実施例のフローチャートである。
【図４】本発明によるベアラサービスに応じて異周波数測定を実施する移動通信端末の構成を示す図である。
【図５】本発明によるベアラサービスに応じて異周波数測定を行う実施例のフローチャートである。
【図６】本発明によるＴＦＣＩ情報を用いてベアラサービスに応じて異周波数測定を行う実施例のフローチャートである。
【図７】本発明によるベアラサービスに応じて異周波数測定の期間又は周期を決定する移動通信端末の構成を示す図である。
【図８】本発明によるＴＦＣＩ情報を用いてベアラサービスに応じて異周波数測定の期間を決定する実施例のフローチャートである。
【図９】Ｗ−ＣＤＭＡシステムのＴＦＣＩ情報で受信データを展開する一例を示す図である。
【図１０】本発明によるベアラサービスに応じて異周波数測定の周期を決定する実施例のフローチャートである。
【図１１】本発明によるベアラサービスに応じて異周波数測定の期間を決定するもう一つの実施例のフローチャートである。
【図１２】Ｗ−ＣＤＭＡシステムのコンプレストモードで使用するパターンパラメータを示す図である。
【符号の説明】
１−１  移動通信端末
１−２  無線部
１−３  復調部
１−４  品質測定部
１−５  実施判定部
１−６  無線制御部
１−７  シンセサイザ
１−８  異周波数測定部
１−９  通信制御部
１−１０  通信中の基地局
１−１１  異周波数測定対象の基地局
【図１】
2004343356.tif 000003
【図２】
2004343356.tif 000004
【図３】
2004343356.tif 000005
【図４】
2004343356.tif 000006
【図５】
2004343356.tif 000007
【図６】
2004343356.tif 000008
【図７】
2004343356.tif 000009
【図８】
2004343356.tif 000010
【図９】
2004343356.tif 000011
【図１０】
2004343356.tif 000012
【図１１】
2004343356.tif 000013
【図１２】
2004343356.tif 000014